(57)【要約】【課題】ポンプから送りホースを介してノズルに送られる薬液の圧力を低下させることなく、薬液の使用量を節減し、該送りホースを小径化し、作業者の手元の操作性を向上させるようにした動力噴霧機を提供する。【解決手段】薬液タンク１とポンプ３とを吸込み管５を介して連結し、該ポンプとノズル７とを送りホース９を介して連結してなる動力噴霧機において、該吸込み管には該吸込み管内の薬液に空気を注入するための空気注入手段４１を備えさせたことを特徴とする動力噴霧機。【選択図】図１
0003180583.tif 000002
【実用新案登録請求の範囲】
【請求項１】
薬液タンクとポンプとを吸込み管を介して連結し、該ポンプとノズルとを送りホースを介して連結してなる動力噴霧機において、
該吸込み管には該吸込み管内の薬液に空気を注入するための空気注入手段を備えさせたことを特徴とする動力噴霧機。
【考案の詳細な説明】
【技術分野】
【０００１】
本考案は、茶園等の農地に殺虫剤、殺菌剤等の薬液を散布する動力噴霧機に関するものである。
【背景技術】
【０００２】
このような動力噴霧機としては、薬液タンクとポンプとを吸込み管を介して連結し、該ポンプとノズルとを送りホースを介して連結してなるものが既に知られている。
【０００３】
例えば特開２００２−１７７８３１号公報は、エンジンによりポンプを作動させて殺虫剤、殺菌剤等の薬液を散布するようにした動力噴霧機を開示している。
【先行技術文献】
【特許文献】
【０００４】
【特許文献１】特開２００２−１７７８３１号公報
【考案の概要】
【考案が解決しようとする課題】
【０００５】
本考案は、上記従来の動力噴霧機において、ポンプから送りホースを介してノズルに送られる薬液の圧力を低下させることなく、薬液の使用量を節減し、該送りホースを小径化し、作業者の手元の操作性を向上させようとしてなされたものである。
【課題を解決するための手段】
【０００６】
上記課題を解決するために、本考案は下記の動力噴霧機を提供するものである。
【０００７】
薬液タンクとポンプとを吸込み管を介して連結し、該ポンプとノズルとを送りホースを介して連結してなる動力噴霧機において、
該吸込み管には該吸込み管内の薬液に空気を注入するための空気注入手段を備えさせたことを特徴とする動力噴霧機（請求項１）。
【考案の効果】
【０００８】
本考案によれば、薬液タンクとポンプとを連結する吸込み管には該吸込み管内の薬液に空気を注入するための空気注入手段を備えさせたため、ポンプから送りホースを介してノズルに送られる薬液の圧力を低下させることなく、薬液の使用量を節減することができる。すなわち、ノズルに送られる薬液中に空気が混入するため、該薬液は一定の圧力を維持しながら、薬液の使用量が減少する。
【０００９】
したがって、送りホースの直径を小さくすることができる。その結果、作業者の手元の操作性を向上させることができる。すなわち、送りホースは、長さが一例として１００メートルにも及ぶ極めて長いものであり、しかも薬液散布作業もしばしば長時間に及ぶのであるが、送りホースが小径化されれば、作業者による送りホースの引き回しが容易になり、薬液散布作業に要する労力が軽減される。また、薬液散布後の片づけ作業に要する労力も軽減される。因みに、本考案により、送りホースの直径は、例えば１０ｍｍから８．５ｍｍに小さくすることができる。
【００１０】
更に、送りホースは前述の如く極めて長く、しかも多数の連結部に接続具を備えているため、従来の動力噴霧機においては、薬液の圧力は送りホース中で逓減するものと思われる。しかしながら、本考案によれば、薬液中に空気を混入するため、ノズルに至るまで薬液の十分な圧力が確保される。したがって、作業者は、手元のノズルを備えた棹を持ち上げるのではなく、むしろ薬液の圧力に抗して若干押えるような感覚で散布作業を行うことができる。この意味でも、作業者の労力が軽減される。
【図面の簡単な説明】
【００１１】
【図１】図１は、本考案による動力噴霧機の一例を概略的に示す断面図である。
【考案を実施するための形態】
【００１２】
本考案による動力噴霧機の一例について図１を参照して説明する。
【００１３】
本考案による動力噴霧機は、上記従来の動力噴霧機と同様に、薬液タンク１とポンプ３とを吸込み管５を介して連結し、該ポンプ３とノズル７とを送りホース９を介して連結してなるものである。
【００１４】
薬液タンク１内には殺虫剤、殺菌剤等の薬液が収容される。ポンプ３は、エンジン等の駆動手段１１によりピストン又はプランジャ１３を作動させ、薬液タンク１内の薬液を汲み上げて送りホース９を介してノズル７に圧送する。符号１５に示すものは、ポンプ３の薬液室である。符号１７に示すものは第一逆止弁である。第一逆止弁１７は、薬液タンク１からポンプ３の薬液室１５に流入する方向の流れのみを許すものである。符号１９に示すものは第二逆止弁である。第二逆止弁１９はポンプ３の薬液室１５からノズル７に向かう方向の流れのみを許すものである。
【００１５】
符号２１に示すものは、ポンプ３の薬液室１５と送りホース９との間に介在させた送り管である。図示の事例においては、送り管２１には圧力計２３と、空気室２５と、調圧装置２７とを備えさせている。
【００１６】
圧力計２３は、送り管２１内を送られる薬液の圧力を計測する手段である。
【００１７】
空気室２５は、ポンプ３におけるピストン又はプランジャ１３の往復運動により圧送される薬液の脈動（圧力変動）を圧縮空気により平滑化するものである。
【００１８】
調圧装置２７は、該送り管２１には該送り管２１に連通する調圧管２９を取り付け、該調圧管２９の一端に調整ねじ３１を螺合し、該調圧管２９内には該調整ねじ３１の先端にばね３３を介して調圧用玉弁３５を移動自在に配設し、該調圧管２９には余水管３７を連設し、該余水管３７は薬液タンク１に連通し、該送り管２１内の薬液の圧力が一定以上になったときには薬液がばね３３の力に抗して調圧用玉弁３５を調圧管２９内における余水管３７との連通口３７ａから離れる方向に押し、薬液の一部を余水管３７を介して薬液タンク１に戻すようになし、以て送り管２１内の薬液の圧力を一定に保持させるようにしてなるものである。
【００１９】
保持すべき薬液の圧力は、調整ねじ３１を回転することにより、調整することができる。なお、調圧装置２７は、ノズル７が詰まったとき、又はノズル７のコック３９を閉じたときに、薬液を余水管３７より薬液タンク１に戻すことにより圧力を逃がし、機械装置を保護するという役割をも果たすものである。
【００２０】
しかして、本考案においては、薬液タンク１とポンプ３とを連結する前記吸込み管５には該吸込み管５内の薬液に空気を注入するための空気注入手段４１を備えさせる。該空気注入手段４１は、空気注入量を適宜調整することができるものを使用する。該空気注入手段４１は、一例として、圃場の単位面積当たり一定量の薬液が散布されるように空気注入量を調整することが望ましいが、必ずしもこれに限定されるものではない。該空気注入手段４１は、一例としてダイヤフラムポンプ等のエアポンプとする。
【符号の説明】
【００２１】
１  薬液タンク
３  ポンプ
５  吸込み管
７  ノズル
９  送りホース
１１  駆動手段
１３  ピストン又はプランジャ
１５  薬液室
１７  第一逆止弁
１９  第二逆止弁
２１  送り管
２３  圧力計
２５  空気室
２７  調圧装置
２９  調圧管
３１  調整ねじ
３３  ばね
３５  調圧用玉弁
３７  余水管
３７ａ  連通口
３９  コック
４１  空気注入手段
【図１】
0003180583.tif 000003